(57)【要約】【課題】空調機の室内機を流動する空気の流路構造を改善することで室内環境の空調がより速やかに行われ、使用者の使用便宜性が向上し、空調機の効率的な駆動が達成される空調機の室内機を提供する。【解決手段】吸込口が背面に形成される背面カバーと、前記背面カバーに吸い込まれて冷却された冷気が吐き出される吐出口が左右側面のうちのいずれか１つ以上に形成される前面フレームと、を含む。【選択図】図３
2005114346.tif 000002
【特許請求の範囲】
【請求項１】
室内機の後方に形成され、外気が吸い込まれる背面カバーと、
前記室内機の前方に形成され、外気が吐き出される前面フレームと、
前記背面カバーを介して吸い込まれた空気を熱交換するための熱交換器と、
前記背面カバーと前記前面フレームとで形成される内部空間に収容され、空気の流れをガイドするエアガイドと、
空気を強制流動させる送風ファンと、
前記エアガイドの中央部に形成され、空気を通過させるための空気案内孔と、
前記エアガイド前面の上側部に形成されて冷気を案内する上側エアガイドおよび／または前記エアガイド前面の下側部から離間して形成されて冷気の吐出方向に案内する下側エアガイドと、
を含むことを特徴とする空調機の室内機。
【請求項２】
前記上側エアガイドおよび／または下側エアガイドは、前記エアガイドと一体に形成されることを特徴とする請求項１に記載の空調機の室内機。
【請求項３】
前記エアガイドの左右両側端部には、吐き出される空気を案内するため滑らかに湾曲して形成される風向調節具収容部が形成されることを特徴とする請求項１に記載の空調機の室内機。
【請求項４】
前記エアガイドの上側部に収容される電装部を含むことを特徴とする請求項１に記載の空調機の室内機。
【請求項５】
前記下側エアガイドは、前記室内機の底面に冷気を案内するため下側に開口されることを特徴とする請求項１に記載の空調機の室内機。
【請求項６】
前記下側エアガイドは、前記室内機の左右両側面に冷気を案内することを特徴とする請求項１に記載の空調機の室内機。
【請求項７】
前記下側エアガイドの内部には、部品を収容するための部品収容部が形成されることを特徴とする請求項１に記載の空調機の室内機。
【請求項８】
前記上側エアガイドは、中央部が両端部に比べて低く形成されることを特徴とする請求項１に記載の空調機の室内機。
【請求項９】
前記エアガイドの上側部には、前記エアガイドのボディ体と所定の間隔だけ離間して収容される電装部が設けられることを特徴とする請求項１に記載の空調機の室内機。
【請求項１０】
前記下側エアガイドの下側部には、冷気を選択的に吐き出すための底面吐出口ドアが設けられることを特徴とする請求項１に記載の空調機の室内機。
【請求項１１】
室内機の前面外観を形成する前面フレームと、
室内機の背面外観を形成する背面カバーと、
前記前面フレームの後ろ側に形成される送風ファンと、
前記送風ファンにより吸い込まれた室内空気を案内するため中央部に形成される空気案内孔、前記空気案内孔から吸い込まれた空気を案内する上側エアガイドおよび下側エアガイド、および両側端部に形成される風向調節具収容部が形成されるエアガイドと、
前記風向調節具収容部の内部に収容される風向調節具と、
熱交換を行うための熱交換器と、
を含むことを特徴とする空調機の室内機。
【請求項１２】
前記オリフィスには、前記上側エアガイドの上方に収容され、前記エアガイドのボディ体から所定の間隔だけ離間される電装部が設けられることを特徴とする請求項１１に記載の空調機の室内機。
【請求項１３】
前記風向調節具収容部は、前方に向かって湾曲して形成されることを特徴とする請求項１１に記載の空調機の室内機。
【請求項１４】
前記風向調節具収容部には、前記風向調節具の収容をガイドする風向調節具収容ガイドが設けられることを特徴とする請求項１１に記載の空調機の室内機。
【請求項１５】
前記風向調節具と前記送風ファンとの間の間隔に設けられる安全網を含むことを特徴とする請求項１１に記載の空調機の室内機。
【請求項１６】
使用者の安全のため前記エアガイドに支持される安全網を含むことを特徴とする請求項１１に記載の空調機の室内機。
【請求項１７】
前記エアガイドの下端部に装着される底面吐出口ドアと、
前記底面吐出口ドアを駆動させる駆動モータと、
を含むことを特徴とする請求項１１に記載の空調機の室内機。
【請求項１８】
前記エアガイドの背面には、前記熱交換器に類似した形状に所定の角度で傾斜して形成される熱交換器収容リブが設けられることを特徴とする請求項１１に記載の空調機の室内機。
【請求項１９】
前記エアガイドの背面下端部には、ベースおよび／またはドレーンパンと締結される背面カバー締結部が設けられることを特徴とする請求項１１に記載の空調機の室内機。
【請求項２０】
前記空気案内孔の縁部が所定の曲率半径で湾曲して形成されるベルマウスを含むことを特徴とする請求項１１に記載の空調機の室内機。
【請求項２１】
前記風向調節具は、所定の角度範囲内で回動されることを特徴とする請求項１１に記載の空調機の室内機。
【請求項２２】
前記熱交換器の両側端部には、冷気の漏れを防止するための漏れ防止リブが設けられることを特徴とする請求項１１に記載の空調機の室内機。
【請求項２３】
室内機の後方に形成される背面カバーと、
前記室内機の前方に形成される前面フレームと、
熱交換を行うための熱交換器と、
空気を室内機の内外部を介して強制流動するための送風ファンと、
空気を流動するための空気案内孔と、前記空気案内孔を介して吸い込まれた空気を少なくとも前記室内機の左右側方に吐き出すため前面上側に形成される上側エアガイドと、
を含むことを特徴とする空調機の室内機。
【請求項２４】
前記エアガイドの前面下側には、前記室内機の下側に冷気を吐き出すための下側エアガイドが設けられることを特徴とする請求項２３に記載の空調機の室内機。
【発明の詳細な説明】
【技術分野】
【０００１】
本発明は、空調機の室内機に関し、より詳しくは、空調機の吸込み方式と吐出し方式を改善することで、室内機の内部構成をより効率良く形成することができる空調機に関する。
【背景技術】
【０００２】
空調システムは、システム内部を循環する冷媒が圧縮、凝縮、膨張および蒸発の冷凍サイクルを行うことで、特定空間の温度を使用者の希望に応じて制御する機器である。このような空調システムが系の内部温度を低くするように動作する場合は、これを冷凍システムと呼び、反対に、系の内部温度を高くするように動作する場合は、熱ポンプと呼ぶ。なお、狭義の空調機は、冷凍システムを指し、このような狭義の空調機は、室内機と室外機とに分けられ、前記室内機は、使用者が居る系の内部に設置されて冷機を供給する機器であり、前記室外機は、系の外部に設置されて熱を放出する機器である。
また、前記室内機の内部には、冷媒の蒸発作用により室内の熱が吸収されるようにする熱交換器と、前記熱交換器に強制に送風させることで対流現象により冷気をより速やかに供給する送風ファンとが設けられている。また、前記室内機は、室内機の設置方法によって、壁掛型、床置型、天井吊型および天井埋込型などに分けられる。
なお、前記壁掛型の室内機は、一般に、室内の壁面に固定され、冷気が供給されるように主に室内機の上側面に空気吸込口が形成され、室内機の底面に空気吐出口が形成されている。これは、室内機の背面が壁面に接するため、空気の適切な吸込みができなくなるためである。しかし、このような構成を有する室内機では、上側面に吸込口が、底面に吐出口が形成されているため、使用上の不便さがあった。具体的には、下側方向にのみ風量が加えられるため、室内全体の速やかに空調できないという短所がある。
また、室内機の内部の構成に制約がある。例えば、従来の室内機の内部には、横流ファンが形成されるため、風量の増加に制限要因があり、室内機の配置において大きな面積を横流ファンが占めるため、室内機が大型化するという短所がある。
【発明の開示】
【発明が解決しようとする課題】
【０００３】
本発明は、前述のような問題点を解決するためになされたものであって、本発明の目的は、室内機の内部構造を改選することで、室内機の構成をより効率良く形成することができる空調機の室内機を提供することにある。
本発明の他の目的は、空気の吸込み方式と吐出し方式を改善することにより、室内機の配置において制限を受けることなく、使用上の便宜を向上することができる空調機の室内機を提供することにある。
本発明のまた他の目的は、室内機の構造を集約することで、単純かつ堅固な構成を有する空調機の室内機を提供することにある。さらには、同一の大きさを有する従来の室内機に比べて風量が増大されるため、効率が向上する空調機の室内機を提供する。
本発明のさらに他の目的は、使用者の使用便宜性を向上することができる空調機の室内機を提供することにある。
【課題を解決するための手段】
【０００４】
上記のような目的を達成するための本発明の一側面によれば、室内機の後方に形成され、外気が吸い込まれる背面カバーと、前記室内機の前方に形成され、外気が吐き出される前面フレームと、前記背面カバーを介して吸い込まれた空気を熱交換するための熱交換器と、前記背面カバーと前記前面フレームとで形成される内部空間に収容され、空気の流れをガイドするエアガイドと、空気を強制流動させる送風ファンと、前記エアガイドの中央部に形成され、空気を通過させるための空気案内孔と、前記エアガイド前面の上側部に形成されて冷気を案内する上側エアガイドおよび／または前記エアガイド前面の下側部から離間して形成されて冷気の吐出方向に案内する下側エアガイドと、を含む。
本発明に係る空調機の室内機の他の側面によれば、少なくとも一側に冷気吐出口が形成される前面フレームと、前記前面フレームの後方に形成される送風ファンと、前記送風ファンの後方に形成され、空気の流動をガイドするエアガイドと、前記送風ファンの後方に形成され、熱交換を行う熱交換器と、前記熱交換器の後方に形成されて室内空気を吸い込むための吸込口が少なくとも１つ設けられ、壁面のコーナー部に設置可能とするため後方に行くほど所定の角度だけ狭く傾斜して形成される背面カバーと、を含む。
【発明の効果】
【０００５】
本発明によれば、室内機の内部構成がより効率良く形成される効果が得られる。また、室内機の吸込み方式および吐出し方式が改善されることで、室内機の配置がより便利になる長所がある。
また、サイズに比べて風量が増大し、使用上の効率が向上するという効果が得られる。さらに、構成が簡単かつ堅固になるため、使用便宜性が向上する効果が得られる。
【発明を実施するための最良の形態】
【０００６】
本発明の思想が以下の実施例により明確に理解できる。但し、本発明の思想が後述の実施例に限定されるものではなく、本発明の思想を理解する当業者であれば、本発明の範疇を逸脱しない範囲内で種々に変更して実施することができる。
【実施例】
【０００７】
図１は、本発明の思想に係る空調機の室内機を示す正面斜視図であり、図２は、本発明の思想に係る空調機の室内機を示す背面斜視図である。
【０００８】
図１および図２を参照するに、本発明に係る空調機の室内機１には、室内機の前面に形成される前面パネル１００と、前記前面パネル１００が収容されて前面カバーを形成し、両側に側面吐出口２２０が形成される前面フレーム２００と、前記前面フレーム２００に結合され、室内機の後方部を保護する背面カバー６００と、前記室内機の下側に形成され、前記室内機に入る各種の配管が収容される配管カバー８３０とを含む。
【０００９】
また、前記前面フレーム２００の少なくとも一側には、冷却された空気が吐き出される側面吐出口２２０が形成され、室内機前方の側面を介して冷却された空気が吐き出される。具体的に、前記側面吐出口２２０は、室内機前方の両側端部が後方に行くほど外側に傾斜する傾斜部に形成されるため、前記側面吐出口２２０を介して吐き出される空気は、室内の全体空間に広く分散される。また、前記側面吐出口２２０により、室内機１前面の全体面積は、きちんと前面パネル１００によりカバーされるため、美感が向上する効果が得られる。
【００１０】
また、前記背面カバー６００は、全体として隆起部が隆起し、外周部は、後方に行くほど内側に傾斜する傾斜部が形成され、前記背面カバー６００の本体部と前記中央部に会うようになる。また、全体として背面カバー６００には、吸込口が形成され、外気が吸い込まれる。具体的には、中央部に形成される中央吸込口６２０と、上側の傾斜部に形成される上側吸込口６１０と、下側の傾斜部に形成されるフィルタ挿入口６３０とを含む。また、前記吸込口６２０、６１０には、多数のグリッドが形成されることで、空気の比較的大きな塵埃が集塵されてから空気が室内機の内部に流入される。また、前記フィルタ挿入口６３０を介しても空気が吸い込まれ、吸込口としての機能が行われるため、本発明の説明では、吸込口はフィルタ挿入口６３０を含む概念として理解できる。
【００１１】
また、前記前面パネル１００の一側には、内部を観察することができるように透明な窓１１１が設けられ、前記窓１１１により室内機１の内部に形成されるディスプレイ部を観察して室内機の運転状態を確認することができる。このような透明な窓は、室内機の前面が比較的広く前面パネル１００によりカバーされるため可能となり、本発明の一特徴である、前方から側面に吐き出される空気の流路構造によって達成できる。
【００１２】
前述の室内機の構成を参照して室内機内部における空気流路について説明する。前記室内機１に流入される空気の移動経路は、先ず、前記背面カバー６００の一側に形成された少なくとも１つ以上の吸込口６１０、６２０およびフィルタ挿入口６３０を介して吸い込まれる。また、室内機１内の熱交換器により熱交換が行われ、前記前面フレーム２００の一側に形成された少なくとも１つ以上の吐出口を介して吐き出される。特に、前記吐出口は、室内機の前方両側の傾斜部に形成されるため、吐き出される空気は、室内の全体領域に速やかに分散され、使用者は、より速く快適を感じることができる。
【００１３】
図３は、本発明の思想に係る空調機の室内機の正面分解斜視図であり、図４は、本発明の思想に係る空調機の室内機の背面分解斜視図である。
【００１４】
図３および図４を参照して、本発明に係る空調機の室内機１の全体構成を詳しく説明する。前記室内機１の前面外観を形成する前面パネル１００と、前記前面パネル１００が収容され、室内機の前方部を保護する前面フレーム２００と、前記前面フレーム２００の後方に形成され、室内空気を吸い込むための送風ファン８００と、前記送風ファン８００の後方に形成され、前記送風ファンの回転により吸い込まれた空気の方向を案内するエアガイド４００と、前記エアガイド４００の後側に形成され、吸い込まれた空気と接触することで空気の温度を低める熱交換器８１０と、前記熱交換器８１０の後方に形成され、前記前面フレーム２００に結合されることで室内機１の後方を保護する背面カバー６００とを含む。
前記室内機１は、前面パネル１００、前面フレーム２００、送風ファン８００、エアガイド４００、熱交換器８１０および背面カバー６００の順に組み立てられる。
【００１５】
また、前記熱交換器８１０から発生する凝縮水を排水するため前記熱交換器８１０の下側に形成されるドレーンパン８２０と、前記熱交換器８１０に連結される冷媒管および凝縮水排水管を保護するための配管カバー８３０とをさらに含む。また、前記エアガイド４００の下側に形成され、底面吐出口２１０に吐き出される空気の流動方向および空気の流動可否を決定するための底面吐出口ドア４７０を含む。前記底面吐出口２１０は、下側エアガイド４２０によりガイドされ、空気が室内機１の下側に吐き出されるようにする。
【００１６】
また、前記前面パネル１００と前記前面フレーム２００との間には、前記側面吐出口２２０を開閉するための吐出口開閉構造３００が装着される。前記吐出口開閉構造３００は、前記前面フレーム２００に固定される。
【００１７】
また、前記前面フレーム２００と前記エアガイド４００との間の上側空間に取り付けられ、モータおよび電装部品の駆動を制御する電装部４６０がさらに形成される。そして、前記エアガイド４００の両側部には、前記側面吐出口２２０に吐き出される空気の流動方向を変化させるための風向調節具４３０が形成され、前記風向調節具４３０の内側に使用者の手が触れるのを防止するための安全網４４０を含む。前記安全網４４０は、使用者が風向調節具４３０の内側に手を入れた場合に送風ファン８００による負傷を防止するためのものである。また、エアガイド４００の上側に形成され、前記送風ファン８００により送風される空気がガイドされて前記側面吐出口２２０に向くようにする上側エアガイド４１０と、前記エアガイド４００の下側に形成され、前記送風ファン８００により送風される空気を前記底面吐出口２１０にガイドするための下側エアガイド４２０とを含む。
【００１８】
以下、各部の機能および作用について説明する。
【００１９】
先ず、前面パネル１００は、本発明に係る室内機１の前面に取り付けられ、前記室内機の前面外観を形成する。また、前記前面パネル１００の一側には、前記室内機１の作動可否および／または作動状態が表示されるディスプレイ部２４０（図６７参照）が見られるように窓１１１が設けられている。また、前記前面パネル１００には、前記室内機１の外観を奇麗にするため、仕上材を施したり所定形状の絵柄を形成したりすることができる。
【００２０】
また、前記前面フレーム２００は、前記前面パネル１００が取り付けられ、前方の縁部は所定の角度で傾斜するように形成される。また、前記各縁部の少なくとも一側には、前記室内機１に吸い込まれて熱交換器８１０で冷却された空気が吐き出される側面吐出口２２０および／または底面吐出口２１０を形成することができる。なお、前記前面パネル１００は、前記前面フレーム２００に固定付着されることができ、左側および／または右側に動けるようにして前記室内機１の前面部に吐出口を形成することもできる。
【００２１】
また、前記送風ファン８００は、前記前面フレーム２００の背面に取り付けられたファン駆動モータ２８０（図７０参照）の作動により回転することで、室内空気が前記室内機１内に吸い込まれるようにする。また、前記送風ファン８００は、前記室内機１のサイズまたは用途に応じて少なくとも１つ以上設けることができる。前記送風ファン８００としては、大容量の風量が発生できるターボファンが使用されることもできる。
【００２２】
また、前記エアガイド４００は、前記送風ファン８００に吸い込まれる空気の流れを案内する役割をするものであって、前記案内孔４５０を介して吸い込まれた空気は、前記上側エアガイド４１０および下側エアガイド４２０により空気の流動方向が決定され、側面吐出口２２０および底面吐出口２１０から吐き出される。
【００２３】
また、前記熱交換器８１０は、複数折り曲げられたパイプ８１１を含み、前記パイプ８１１内には膨張バルブを通った低温低圧状態の冷媒が流れる。前記熱交換器８１０の面積が広いほど熱伝達効果が向上するため、フラットな四角形状または所定の角度で傾斜した形状に形成することができる。また、前記熱交換器８１０の下側には、前記熱交換器８１０の表面に凝縮される凝縮水を受けるドレーンパン８２０が設けられ、室内機１から外側への凝縮水の漏れを防止する。
【００２４】
また、前記背面カバー６００は、少なくとも一側に室内空気が吸い込まれるように上側部に形成される上側吸込口６１０と、前記背面カバー６００の中央に形成される中央吸込口６２０とを含む。前記上側吸込口６１０および中央吸込口６２０のような吸込口の形状および個数は、前記室内機の容積および形状に応じて自由に選択できる。但し、前記吸込口６１０、６２０は、所定の間隔を置いて繰り返して形成されるグリルを有することで、前記室内機１に入る室内空気に含まれた不純物が一次的に取り除かれる。また、前記背面カバー６００の一側には、吸い込まれる空気に含まれた塵埃のような不純物を取り除くためのフィルタ（図３２参照）が挿入されるフィルタ挿入口６３０を形成することもできる。前記フィルタは、前記背面カバー６００と前記熱交換器８１０との間に挿入され、前記熱交換器８１０の表面に不純物が付くのを防止する役割をする。なお、前記フィルタ挿入口１６３は、空気の吸込口としての機能も果たす。
【００２５】
また、前記背面カバー６００の縁部が所定の角度で傾斜して形成され、このように傾斜した部分に前記吸込口６１０を形成することで空気の吸込がより円滑に行われる。特に、前記傾斜部により、前記室内機１が壁面のコーナー部に設置された場合でも、空気の吸込みが円滑に行われる。
【００２６】
図５は、本発明に係る空調室内機の全体的な空気流動を示す図である。
【００２７】
図５を参照するに、背面カバー６００の上側吸込口６１０および／または中央吸込口６２０および／またはフィルタ挿入口６３０を介して空気が吸い込まれる。吸い込まれた空気は、前記熱交換器８１０により熱交換が行われた後、前記空気案内孔４５０を介して吸い込まれ、前記送風ファン８００の吸込側に流入される。勿論、これまでの空気流動は、前記送風ファン８００の吸込力により行われる。前記送風ファン８００から吐き出される空気は、前記上側エアガイド４１０および下側エアガイド４２０により案内され、特定の方向に誘導される。
【００２８】
具体的に、前記上側エアガイド４１０により案内される空気は、前記側面吐出口２２０から吐き出され、前記下側エアガイド４２０により案内される空気は、前記底面吐出口２１０から吐き出される。また、前記側面吐出口２２０からの空気は、吐出中に前記風向調節具４３０により案内されることで冷気が室内の全域に速やかに吹き出されるようになる。また、前記底面吐出口２１０からの空気は、前記底面吐出口ドア４７０により案内され、吐き出される。
【００２９】
図６は、他の実施例において吐き出される風の動きを説明する図である。
【００３０】
同図に示したように、前記底面フレーム２００前方の上側には上面吐出口２１１が開口され、前記上面吐出口２１１を介して冷却された空気が吐き出されることができる。但し、前記上面吐出口２１１を介して空気を吐出すためには、前記上側エアガイド４１０を適切な構造および形状に変更して形成することが好ましい。このときは、風の抵抗が低減するため、より一層の効率増進が可能である。
【００３１】
図７は、他の実施例において吸い込まれる風の動きを説明する図である。
【００３２】
同図に示されたように、前記背面カバー６００の両側部には、側面吸込口６４０が形成されている。前記側面吸込口６４０が形成されることで空気の流動中に発生する抵抗がより低減し、これによって、室内機の使用上の効率が一層増大する。
【００３３】
図８は、本発明の思想に係る空調機の室内機の設置構造を説明する図である。
【００３４】
図８を参照するに、前記室内機１を壁面に固定するため、背面カバー６００の背面にさらに形成される支持パネル６２２と、前記支持パネル６２２の上端と下端にそれぞれ形成される収容ガイド６５０と、前記収容ガイド６５０に上下方向に加工形成されるホール６５１とを含む。
前記支持パネル６２２は、前記背面カバー６００に付着およびネジ結合などのような他の方法で固定でき、前記収容ガイド６５０は、前記支持パネル６２２に付着およびネジ結合などのような他の方法で固定でき、または、前記支持パネル６２２と一体に形成されることもできる。ここで、前記収容ガイド６５０の形状および前記ホール６５１の個数は、本発明の実施例に限定されず、室内機のサイズおよび形状に応じて種々に変更して形成することができる。また、前記収容ガイド６５０は、前記支持パネル６２２が介装されることなく前記背面カバー６００に直接固定または一体に形成することもできる。
【００３５】
具体的に、前記収容ガイド６５０は、図８のように、長い直六面体形状で上側および下側にそれぞれ取り付けられることができ、図９のように、短い直六面体形状で前記支持パネル６２２の４コーナー部に独立してそれぞれ取り付けられることもできる。図９のように形成される場合は、背面カバー６００の背面に空気が吸い込まれる空間が広くなるため、空気の流動抵抗が一層低減する。
なお、前記ホール６５１の形状は、本発明の実施例のように円形に限定されず、所定のバーが挿入可能であれば、溝状や四角形状のホールなどのように種々に変更して形成することができる。
【００３６】
図１０は、本発明の思想に係る収容具を示す斜視図であり、図１１は、前記収容具が壁面に固定された状態を示す図である。
【００３７】
図１０および図１１を参照するに、本発明に係る収容具６６０は、壁面８４０に付着などの方法で結合され、室内機１が前記壁面８４０に固定され、一定の間隔だけ離間させるための支持部６６１と、前記支持部６６１から前方に突出形成される延長部６６２と、前記延長部６６２から上方に一定の長さだけ突出形成されるボス６６３とを含む。
【００３８】
具体的に、前記ボス６６３の外径は、前記ホール６５１に正確に挿入される形状である。また、前記ボス６６３の形状は、本発明の実施例のような円柱形状に制限されず、前記ホール６５１と互いに密に結合されて揺れが発生しない形状であれば、変更して形成することができる。また、前記支持部６６１は、前記室内機１が前記収容具６６０に結合された時、室内空気が吸い込まれる空間を形成することができるように一定の厚さを有する。勿論、前記支持部６６１により収容具６６０が壁面８４０に結合されるように、ある程度以上の広さを有するように形成される。但し、所定の結合剛性が担保できれば、広さはあまり重要でない。また、前記延長部６６２は、前記支持部６６１から前方に延長形成され、上側面に前記ボス３１２が形成される。前記延長部６６２により収容具６６０が全体として壁面８４０から一定距離以上離間しており、また、室内機１と壁面８４０との間に所定長さ以上の間隔を有するように形成することで、背面カバー６００に吸い込まれる空気の流動抵抗を低減することができる。
なお、前記支持部６６１、延長部６６２およびボス６６３は、種々の方式で成形できるが、２つ以上の部材が一体に成形されることが好ましい。また、前記収容具６６０は、図示のように四角形状で互いに離間した上側と下側にそれぞれ設けることができ、それぞれの収容具６６０間の間隔は、前記室内機１の大きさに応じて決定される。
【００３９】
図１２は、本発明の思想により室内機が収容具に結合された様子を示す側面図である。
【００４０】
図１２を参照するに、前記室内機１は、前記壁面８４０から一定間隔だけ離間して結合されるため、前記室内機１の背面と前記壁面８４０との間には、空気が流入される所定の間隙が形成される。また、前記間隙に流入される空気は、背面カバー６００に形成された吸込口６１０、６２０を介して容易に流入される。なお、前記背面カバー６００と壁面８４０との間の間隙が狭い場合でも、前記上側吸込口６１０が壁面８４０により干渉を受けることなく空気が円滑に流入されることができる。図面において、矢印は、中央吸込口６２０を介して吸い込まれる空気の流れを示している。
【００４１】
図１３乃至図１５は、室内機が設置される様子を示すものであって、図１３は、本発明の思想によって室内機が平らな壁面に設置される様子を示す平面図であり、図１４は、室内機が壁面のコーナー部に設置された様子を示す平面図であり、図１５は、室内機が壁面のコーナー部に設置される他の様子を示す図である。
【００４２】
本発明によれば、収容ガイド６５０および収容具６６０により、前記室内機１は、一般の平らな壁面だけでなく、壁のコーナー部にも自由に設置することができる。また、前記収容具６６０の付着位置に応じて前記室内機の前面が向かう角度は自由に調節可能である。このように、前記室内機１が設置される位置および設置方向が自由に変更でき、これにより、吸込流路を変更することなく円滑な空気の吸込みおよび吐出が可能となるため、使用上の便宜性が一層向上する。
【００４３】
先ず、図１３に示されたように、前記室内機１は、一般の平らな壁面に設置することができ、前記収容具６６０は、前記収容ガイド６５０の厚さに応じて適切な位置に固定される。
【００４４】
図１４を参照するに、前記壁面８４０と室内機１とがなす角度を変化して設置するが、一側においては壁面８４０と室内機１とがなす角度（α）が３０°であり、他側においては壁面８４０と室内機１とがなす角度（β）が６０°である。これは、室内構造が長方形でありいずれか一方からより多量の風が加えられる必要がある場合や室内のいずれか一側に障害物が存在する場合に好ましく適用される。前記収容具６６０の設置位置が前記角度に合わせて変化することはいうまでもない。
【００４５】
図１５を参照するに、壁面８４０と室内機１とがなす角度（γ）、（δ）がいずれも４５°となる。このような場合は、室内の平面が正方形であり左右方向に均等な風量が加えられる必要がある場合に好ましく適用される。
【００４６】
前述のように、室内機１が壁面の具体的な設置位置の制限を受けることなく自由に設置可能であるため、室内空間の活用度が高くなる。また、室内機の背面に空気を吸い込むための空間が容易に確保できるという長所がある。
【００４７】
図１６は、前記収容ガイドが形成される他の実施例を説明する図である。
【００４８】
図１６を参照するに、前記収容ガイド６５０は、前記支持パネル６２２に結合されず、前記中央吸込口６２０が形成される中央吸込パネル６２１に直接固定される。このように前記収容ガイド６５０を直接前記中央吸込パネル６２１に固定するためには、少なくとも前記収容ガイド６５０が固定される個所において中央吸込パネル６２１の厚さがある程度以上に維持される必要がある。これは、収容ガイド６５０の固定を堅固に維持するためである。なお、収容ガイド６５０および収容具６６０に関連した説明は、本実施形態においてもそのまま援用可能である。
【００４９】
前述のように、収容ガイド６５０が直接中央吸込パネル６２１に固定されることで、支持パネル６２２をさらに形成する方法に比べてコストと工程が低減できる。
前述のように室内機を設置するためには、室内機本体の背面に所定の収容ガイド部が形成されると共に壁面に収容部が形成され、両者が結合される構造を取っている。勿論、このような方式は、種々に変更して実施することができる。以下、他の実施例を示す。
【００５０】
図１７乃至図２６は、本発明の室内機が壁面に設置される他の実施例を説明する図である。
【００５１】
図１７を参照するに、室内機の設置構造については、室内機１と、前記室内機１の背面に結合される前面板６８０と、壁面８４０に直接結合される背面板６９０と、前記前面板６８０と前記背面板６９０とが互いに連結され、室内機を壁面８４０から一定の角度だけ離間して位置させるための側面板６８５とを含む。前記側面板６８５の端部は、それぞれ前面板６８０と背面板６９０に所定の方式で連結される。前述の様な構成により、壁面のコーナー部に室内機が設置される場合でも、一定の角度を維持する状態で室内機が壁面から離間しているため、室内機からの風がより円滑に室内の全域に分散されることができる。詳述すれば、室内のコーナー部に室内機が設置される場合、室内機がコーナー部の両側壁に直角でなく所定の角度を維持する状態で固定されるため、室内機の一側面から吐き出される風が妨害を受けることなく円滑に室内空間の全域に伝わるようになる。
【００５２】
図１８は、他の実施例によって室内機が結合される場合における室内機の背面斜視図である。
【００５３】
図１８を参照するに、前記背面カバー６００の背面には、前記室内機１を壁面に収容するための支持突起６７０が所定の高さに突出して中央吸込パネル６２１の４つのコーナーに形成される。前記支持突起６７０は、前記中央吸込パネル６２１に一体に形成されることができ、別体として前記中央吸込パネル６２１に固定されることもできる。また、前記支持突起６７０は、中央吸込パネル６２１の上に当てられる支持パネル６２２に形成される場合でも、同様に支持突起６７０としての機能を果たすことができる。
【００５４】
図１９は、図１８の“Ｄ”を拡大した図である。
【００５５】
図１９を参照するに、前記支持突起６７０は、長方形のボディ体から上面に延びて前記前面板６８０と前記室内機１とを締結する締結部材を挿入するための凹状の締結部６７２と、前記締結部６７２から離間した上側において前記前面板と同じ高さに形成され、前記締結部材の結合をより正確にするための隆起部６７１とを含む。前記隆起部６７１は、所定の締結部材が前記前面板６８０と支持突起６７０に挿入される時、締結部材を前面板６８０および支持突起６７０に対して同じ高さに固定させるためのもので、前記締結部材が締結部６７２に挿入された時、締結部材の挿入角度がずれるのを防止する。このように締結部材が挿入される時、垂直方向の正確な角度で挿入できるため、前面板６８０と背面カバー６００との相互締結は、より信頼性良く行われる。
【００５６】
図２０は、本発明の思想に係る前面板の斜視図であり、図２１は、側面板の斜視図であり、図２２は、背面板の斜視図である。
【００５７】
図２０を参照するに、本発明に係る前記前面板６８０には、強度を補強すると共に干渉を防止するための多数のフォーミング部が形成される。それぞれの前記フォーミング部について詳述する。前記前面板６８０の４コーナー部のうちのいずれかのフォーミング部に形成され、前記支持突起６７０が挿入されて室内機１の位置を固定するための支持突起挿入ホール６８１と、他のフォーミング部に形成され、側面板６８５の前面係止部６８６（図２１参照）が係止され、側面板６８５を前面板６８０に固定するための第１の係止部６８３と、また他のフォーミング部に形成され、背面板６９０の前面係止部６９１（図２２参照）が係止され、背面板６９０を前面板６８０に固定するための第２の係止部６８４とを含む。
【００５８】
また、前記前面板６８０が側面板６８５および背面板６９０を介在することなく壁面８４０に直接固定される場合に使用するため、前記前面板６８０を貫通して形成される壁面固定部６８２を形成することもできる。
具体的に、前記第１の係止部６８３および第２の係止部６８４は、フォーミング部の所定位置で切開されて曲げ加工されるもので、２つのリブがそれぞれ突出する。そして、前記係止部６８３、６８４は、室内機の支持に必要な数だけ形成されるが、本実施例では、３つがそれぞれ形成されている。但し、係止部６８３、６８４の形状、数および加工方法は、前述のものに制限されず、本発明の思想に属する他の形に変更して形成することもできる。
【００５９】
図２１を参照するに、本発明に係る側面板６８５は、一側面に所定の幅と長さをもって突出形成され、前記前面板６８０に係止させるための前面係止部６８６と、他側面に突出形成される背面係止部６８９とを含み、前記側面板６８５が前記前面板６８０および背面板６９０に固定される。また、前記背面係止部６８９が形成される側面板６８５の一側には、側面板６８５を背面板６９０に堅固に固定するための背面固定部６８７および背面固定ホール６８８が形成される。
具体的に、前記背面係止部６８９は、側面板６８５の位置を案内するためのものであり、前記背面固定部６８７は、側面板６８５の中心位置に形成され、前記背面板６９０と所定の締結部材により堅固に固定されるようにする。
【００６０】
図２２を参照するに、本発明に係る背面板６９０は、壁面８４０に取り付けられるもので、一側面において曲げ形成され、前記背面係止部６８９を案内するためのガイド部６９４と、前記背面固定部６８７と整列されて側面板が固定される側面固定部６９２および側面固定ホール６９３と、背面板６９０の他側角部に形成され、前面板６８０に係止する前面係止部６９１とを含む。
【００６１】
図２３は、前面板と側面板との結合状態を示す図である。
【００６２】
図２３を参照するに、前記前面板６８０の背面に前記側面板６７５が結合される。具体的に、前記前面板５８０の一側部に形成される第１の係止部６８３に前記側面板６８５の一側部に形成される前面係止部６８６が挿入される。具体的に、前記側面板６８５または前面板６８０を動かして前記前面係止部６８６と第１の係止部６８３とを整列させる。また、前記前面係止部６８６が第１の係止部６８３の内側に挿入されるように前記側面板６８５を押し上げて前記前面係止部６８６を前記第１の係止部６８３内に完全に結合させる。なお、前記第１の係止部６８３が前記前面係止部６８６のいずれか一方のみが固定される場合でも、前記室内機１は、重力により一方向にのみ支持されれば良いため、問題無い。但し、外部からの小さな衝撃によっても室内機が揺れるのを防止するため、前記第１の係止部６８３は、離間している２つまたはそれ以上の曲げリブで形成される。
【００６３】
前述のような過程で前記側面板６８５が前記前面板６８０に嵌め込まれると、前記前面板６８０と前記側面板６８５とは、所定の角度で傾斜して結合される。そして、前記傾斜角は、前記側面板６８５のボディ体と前記前面係止部６８６とがなす角度と同様に傾斜して位置される。このため、前記前面係止部は、平面状をしている。
【００６４】
前記前面板６８０と側面板６８５とが単一のアセンブリとして組み立てられた後は、前記アセンブリが背面板６９０に結合されるが、その結合過程が図２４に示されている。
【００６５】
図２４を参照するに、前記前面板６８０と側面板６８５のアセンブリが結合された、個々の板の反対側の先端部は、互いに一定の角度で離間している。このように離間した端部に前記背面板６９０が結合される。具体的に、前記背面板６９０の一側面に形成される側面ガイド部６９４に側面板６８５の背面係止部６８９が挿入され、ガイドされる。そして、背面板６９０の前面係止部６９１が前面板６８０の第２の係止部６８４に挿入される。前記背面板６９０の前面係止部６９１と前面板６８０の第２の係止部６８４との結合は、前記側面板６８５と前面板６８０との結合方式と同様である。このような方式で前記背面板６９０は、前面板６８０および側面板６８５に位置が案内される。さらには、このように背面板６９０の位置が案内された状態では、前記背面固定部６８７および側面固定部６９２は、互いに一列に整列された状態であり、前記背面固定ホール６８８および側面固定ホール６９３に所定の締結部材が挿入固定されると、前記背面板６９０まで全く結合される。前記背面板６９０が壁面８４０にボルトなどのような他の方法で固定できるのはいうまでもない。
【００６６】
前述のような過程でそれぞれの板６８０、６８５、６９０が組み立てられると、図１７に示されたような所定の結合構造が完成する。
【００６７】
図２５は、室内機と前面板との固定状態を説明するための斜視図であり、図２６は、室内機と前面板とが固定される状態で前面板のコーナー部を拡大した図である。図２５および図２６を参照して室内機と前面板との固定関係を詳しく説明する。
【００６８】
先ず、前記室内機１の背面に形成された支持突起６７０が前記支持突起挿入ホール６８１に位置合わせされる。なお、前記支持突起挿入ホール６８１の形状は、上側に比較的大きな径を有する円形ホール部が、また、下側に四角形状のホールがそれぞれ形成される。前記四角形状のホールの形状は、前記支持突起６７０の形状と同様である。従って、前記支持突起６７０が挿入される時は、先ず上側のホール部に挿入された後、下側の四角形状のホールに挿入されるようになり、このような連係動作により前記支持突起６７０は、容易に前記支持突起挿入ホール６８１に挿入される。このような形状および動作を有する理由は、使用者が室内機を設置する時、室内機の背面を正確に見ることができないため、大略の位置に室内機１を設置し、前記支持突起６７０が前記円形のホール部に挿入された後、室内機の自重で下方に下がって支持突起６７０が前記四角形状のホール部に挿入され、正確な位置に収容されるようにするためである。
【００６９】
前記支持突起６７０が支持突起挿入ホール６８１の正しい位置に入った後は、締結部材６７３が挿入される。前記締結部材６７３は、前記締結部６７２に挿入され、前記締結部材６７３の外側部の少なくとも一部分は、前記支持突起挿入ホール６８１の一部分にかかり、これによって、締結部材６７３の正しい位置がガイドされる。なお、前記締結部材６７３が挿入される時は、前記支持突起６７０上に突出形成された隆起部６７１に至るまで挿入される。また、前記支持突起６７０は、前述のように前記前面板６８０の厚さに相当する程度の高さに突出する。それで、前記締結部材６７３の挿入高さは、前記支持突起６７０と前記前面板６８０から見て、同様な上方向への離隔距離をもって収容される。従って、前記締結部材６７３は、反りまたは捩じりが発生することなく信頼性良く結合され、前記前面板６８０と支持突起６７０との結合は、解除されない。
【００７０】
なお、本発明の実施例において、前記側面板６８５の全体長さを適切に調整することで、室内機と壁面とがなす角度を便利に調整することができ、このため、前記側面板６８５の形状を、長さを伸ばすことができる所定の形状にすることができる。また、前記室内機が平らな壁面に設置される場合、前面板６８０を直接壁面に固定することで設置作業の便宜性を向上させることもできる。
本実施例における前面板６８０、側面板６８５および背面板６９０は、収容具６６１（図１０の６６０参照）としての役割を果たし、また、前記支持突起６７０は、同様に、収容ガイド６５０としての役割を果たす。
【００７１】
図２７は、本発明の思想に係る背面カバーの正面斜視図であり、図２８は、背面カバーの背面斜視図である。図２７および図２８には、全体斜視図からは見られない、背面カバーの詳細な部分まで示されている。
【００７２】
図２７および図２８を参照するに、本発明に係る背面カバー６００は、少なくとも一側に室内空気が吸い込まれる吸込口が形成され、外気が室内機の内部に吸い込まれる。また、前記背面カバーの４つの縁部は、後方に行くほど所定の角度で傾斜するように形成され、前記室内機の設置作業が便利に行われる。そして、前記吸込口６１０、６２０には、吸込み空気内に含まれた比較的大きな塵埃や不純物が前記室内機１内に入るのを防止し、子供の手が室内機内に入るなどの事故の発生を防止するため、吸込みグリルが設けられる。また、フィルタが挿入されるフィルタ挿入口６３０が形成され、前記フィルタ挿入口６３０内にフィルタが挿入される。このようなフィルタについては、後述する。但し、このようなフィルタにより室内機１内に流入される空気に含まれた不純物を取り除くことができるのはいうまでもない。また、前記背面カバー６００の縁部が所定角度で傾斜して形成されることで、前記室内機１１０を壁面のコーナー部に自由に設置可能となる。
【００７３】
なお、前記背面カバー６００の内側には、前面部縁部に少なくとも１つ以上形成され、前記前面フレーム２００の縁部に形成された背面カバー係止部２４１（図７０参照）と結合される前面フレーム締結部７０１と、底面両側に少なくとも１つ以上配列され、前記熱交換器８１０を収容するための第１の熱交換器支持部７０２と、前記フィルタ挿入口６３０の両端部から所定間隔だけ離間した傾斜部に突出形成され、前記熱交換器８１０を支持する第２の熱交換器支持部７０６とが設けられている。
【００７４】
また、前記背面カバー６００の下側に形成される、前記ドレーンパン８２０と前記エアガイド４００とが共に締結されるドレーンパンガイド部７０７と、前記ドレーンパンガイド部７０７の左側および／または右側に突出形成され、前記ドレーンパン８２０と結合されるように締結部材が挿入されるドレーンパン固定部７０４と、前記配管カバー８３０を結合するための配管カバー固定部７０５とがさらに設けられている。
【００７５】
また、前記フィルタ挿入口６３０の下側部において、室内機の内側に延長形成され、フィルタ挿入口を介して吸い込まれる空気を案内するための流動ガイド７１０と、前記フィルタ（図３２参照）が挿入され、正しい位置に置かれた時、フィルタの下側端をガイドするためのフィルタ収容面７１１と、前記フィルタ７２０の下側端に形成される突起が挿入されることでフィルタを正しい位置に固定するためのフィルタ固定溝７１２とが形成される。また、前記フィルタ収容面７１１は、フィルタ７２０と背面カバー６００との結合度を増大させることで、空気の漏れを防止する。
【００７６】
図２９は、図２８のＩ−Ｉ’の断面図であり、図３０は、II−II’の断面図である。
【００７７】
図２９および図３０から、前記流動ガイド７１０の下側に折り曲げられることでフィルタ収容面７１１が形成され、前記フィルタ収容面の下側端部にフィルタ固定溝７１２が二つ形成されることがわかる。
【００７８】
図３１は、図２７の“Ａ”の拡大図である。
【００７９】
図３１を参照するに、前記第１の熱交換器支持部７０２は、前記上端部において階段状に段付けされて形成された熱交換器収容部７１３と、下端部から所定の高さを有するフィルタガイド挿入溝７１４とを含む。前記熱交換器収容部７１３が段付けされるのは、前記熱交換器８１０は、熱交換パイプ８１１の直径に応じて全体幅が変化しているため、熱交換器の容量変化に容易に対応するためのである。また、前記フィルタガイド挿入溝７１４には、所定の長さを有し、フィルタの挿入を容易にするためのフィルタガイド（図３４参照）が収容される。前記フィルタガイド７３０は、前記第１の熱交換器支持部７０２と垂直方向の同一線上に所定の高さに突出するフィルタガイド締結部７０３と締結されることでその位置が堅固に固定される。そして、第２の熱交換器７０６には、上部に所定の長さをもって前記熱交換器８１０の下端部が挿入されることで前記熱交換器８１０を支持する熱交換器収容部７１５が形成される。なお、前記熱交換器収容部７１５には、熱交換器８１０の背面または熱交換器のパイプが置かれるようになる。
また、前記流動ガイド７１０は、前記フィルタ挿入口６３０を介して吸い込まれる空気を案内する機能だけでなく、ドレーンパン８２０の揺れ現象を防止する機能を行うことができるように水平方向に長く延長形成される。
【００８０】
図３２は、フィルタの斜視図である。
【００８１】
図３２を参照するに、本発明に適用されるフィルタは、全体として四角形状を呈するフィルタフレームに多数のメッシュが形成されるＨＥＰＡフィルタを適用することができる。また、前記フィルタフレームの下側端部には、前記フィルタ固定溝７１２に嵌め込まれてフィルタの下側端を支持するためのフィルタ固定リブ７２２が形成され、使用者がフィルタ７２０を把持してフィルタを装着したり取り外したりすることができるようにフィルタ取っ手７２１が設けられている。
【００８２】
図３３は、本発明の思想によって背面カバーにフィルタが結合される構造を示す正面斜視図であり、図３４は、フィルタを案内する前記フィルタガイドの斜視図である。
【００８３】
図３３および図３４を参照するに、前記フィルタ７２０は、前記背面カバー６００の底面両側に設けられるフィルタガイド７３０により挿入がガイドされ、使用者が便利にフィルタ７２０を挿入することができる。具体的に、前記フィルタガイド７３０は、プラスチック材で作ることができ、垂直断面が“┐”形状であり、内側部にはフィルタ挿入部７３１が形成され、前記フィルタ挿入部７３１の内側に前記フィルタ７２０両側端部のフレームが挿入される。また、前記フィルタガイド７３０は、外周に水平に所定の大きさで延長形成され、前記背面カバー６００に形成されたフィルタガイド締結部７０３と結合されるための固定面７３３を少なくとも１つ以上有する。勿論、前記固定面７３３には、締結部材が挿入されるための所定の固定ホール７３２が形成され、前記フィルタガイド締結部７０３に整列され、互いに結合される。
【００８４】
フィルタの挿入方式およびフィルタの構成について説明する。前記フィルタガイド７３０は、フィルタガイド７３０の固定面７３３と背面カバー６００のフィルタガイド締結部７０３とが互いに結合される過程により、背面カバー６００に結合される。前記フィルタガイド７３０が結合された状態で、フィルタ７２０を前記フィルタ挿入口６３０を介して上方に押し込むが、このとき、フィルタ７２０は、前記フィルタ挿入部７３１により案内され、背面カバー６００の隣接した状態で背面カバー６００の内側面に接して装着される。前記フィルタ７２０が前記上側吸込口６１０の内側面を覆う程度に挿入されると、フィルタが固定される。このとき、前記フィルタ固定リブ７２２は、前記フィルタ固定溝７１２に挿入され、フィルタ７３０の下側端が支持される。
【００８５】
なお、前記フィルタ７２０をなすフレームは、弾性を有するプラスチック材で構成されるため、ある程度のフレキシブルな材質が使用され、このような材質を採用することで、背面カバー６００の内側に挿入される時、前記フィルタガイド７３０によりガイドされない部分では緩やかに撓むようになり、前記上側吸込口６１０の内側面に対するフィルタリングが可能となる。
なお、前記フィルタ７２０の前方には、強力な電圧をかけて前記フィルタ７２０で取り除かれなかった塵埃などを微細に集塵する集塵装置７３５を選択的に取り付けることができる。前記集塵装置７３５は、両側端から延長形成される集塵装置固定部７３６により前記背面カバー６００の内側面に収容され、前記集塵装置固定部７３６に対応する背面カバー６００の位置には、ボスなどの締結部が形成される。また、前記フィルタガイド７３０びほぼ下側部には、前記集塵装置７３５とフィルタガイド７３０との相互間の干渉が発生しない状態で前記集塵装置７３５を前記背面カバー６００に収容するため、前記集塵装置７３５が位置する部分には、集塵装置収容部７３４が形成される。
【００８６】
図３５は、フィルタが装着された状態における室内機の下側部を示す斜視図であり、図３６は、図３５のIII−III’の断面図であり、図３７は、図３５のIV−IV’の断面図である。
【００８７】
図３５乃至図３７を参照してフィルタの装着状態について説明する。前記フィルタ７２０が完全に装着された状態で、フィルタの本体が前記フィルタガイド７３０により支持される。また、フィルタ７２０の下側端部のフィルタ固定リブ７２２は、前記フィルタ収容面７１１に密着される状態で、フィルタ固定溝７１２に嵌め込まれるため、フィルタ７２０の下側端が堅固に支持される。また、前記フィルタ７２０の下側端部の中央には、フィルタ取っ手７２１が前方に突出形成されているため、使用者がフィルタを便利に取り外すことができる。
具体的に、使用者がフィルタ７２０を挿入するためには、前記フィルタ取っ手７２１を把持してフィルタ挿入口６３０内へある程度押し込んだ後、前記フィルタ固定リブ７２２がフィルタ固定溝７１２に嵌め込まれるように下方に引っ張ると、完全に装着される。逆にフィルタ７２０を取り外すためには、フィルタ取っ手７２１を把持して上方に少し持ち上げることでフィルタ固定溝７１２から抜いた後、下方に引っ張る。
【００８８】
図３８は、本発明の思想に係るドレーンパンの斜視図であり、図３９は、図３８のV−V’の断面図であり、図４０は、図３８のVI−VI’の断面図である。
【００８９】
図３８乃至図４０を参照して前記ドレーンパンの形状を説明する。前記ドレーンパン８２０は、前記熱交換器８１０の下側に設けられ、前記熱交換器８１０から落ちる凝縮水を受けることができるように所定の深さを有する。また、ドレーンパン８２０の底面には、前記凝縮水が排水されるように所定の長さを有し、垂直下方に延長形成される一対の凝縮水排出口８２１が形成される。
【００９０】
また、前記ドレーンパン８２０の底面内側には、前記熱交換器８１０の下端部背面を支持して熱交換器８１０の揺れを防止する第１の揺動防止リブ８２２と第２の揺動防止リブ８２３とが適切な数だけ左右に離間して形成される。また、前記揺動防止リブ８２２、８２３は、高さの差を有するが、好ましくは、前記第２の揺動防止リブ８２３が前記第１の揺動防止リブ８２２に比べて長く形成される。このように揺動防止リブ８２２、８２３を形成することで、熱交換器８１０の前方と後方とが同時に堅固に支持される。
【００９１】
また、前記ドレーンパン８２０の底面外側には、前記背面カバーに形成される第１のドレーンパン固定部７０４と締結され、ドレーンパン８２０を固定させるための第２のドレーンパン固定部８２５が形成される。前記第１のドレーンパン固定部７０４と第２のドレーンパン固定部８２５とが位置合わせされた状態で締結部材が挿入されることで、ドレーンパン８２０の位置が背面カバー６００に対して堅固に固定される。
【００９２】
また、前記ドレーンパン８２０の底面外側には、前記第１のドレーンパンガイド部７０７に挿入される第２のドレーンパンガイド部８２４が形成される。前記第２のドレーンパンガイド部８２４が前記第１のドレーンパンガイド部７０７に挿入されることで、ドレーンパン８２０が前記締結部材により固定される前に、その形成位置が安全に維持できる状態に固定させることができる。
【００９３】
図４１は、配管カバーの斜視図である。
【００９４】
図４１を参照するに、前記配管カバー８３０は、前記室内機１と外部とを連結する電線と他の配管が外部に露出されるのを防止するためのもので、前記背面カバー６００の下端部に結合される。
具体的に、前記配管カバー８３０の上端部には、前記背面カバー６００の下端部に形成される配管カバー固定部７０５（図２７参照）と連結されて配管カバー８３０を固定させるための背面カバー係止部８３２が形成される。また、前記配管カバー８３０の下端部の両側端部に形成され、前記前面フレーム２００の下側部と連係結合させるための第２の係止部８３３と、配管カバー８３０内側部のほぼ中央に形成され、前記エアガイド４００の下端部に連係される第１の係止部８３１とが形成される。換言すれば、前記配管カバー８３０は、３つの係止部８３１、８３２、８３３により、背面カバー６００、エアガイド４００および前面フレーム２００に結合されるため、設置後の位置が堅固に支持される。
【００９５】
図４２は、背面カバーにドレーンパンと配管カバーが取り付けられた状態を説明する図であって、ドレーンパンの装着状態を詳しく示している。
【００９６】
具体的に、前記ドレーンパン８２０の底面外側に形成される第２のドレーンパン固定部８２５が前記第１のドレーンパン個底部７０４に位置合わせされた状態で締結部材により結合され、前記ドレーンパン８２０が堅固に位置固定されている。また、前記第２のドレーンパンガイド部８２４が前記第１のドレーンパンガイド部７０７に挿入されることで、ドレーンパン８２０が前記締結部材により結合される前に、その形成位置の容易な確認が可能となる。
【００９７】
図４３は、本発明の思想に係るエアガイドの正面斜視図であり、図４４は、本発明に係るエアガイドの背面斜視図である。
【００９８】
図４３および図４４の拡大図を参照しながらエアガイドの形状および構成について説明する。
前記エアガイド４００は、ほぼ四角形状を呈し、エアガイド４００の中央部を貫通すると共に所定の径を有する円形の空気案内孔４５０と、前記空気案内孔４５０の外周に所定の曲率半径をもって緩やかに湾曲して形成されるベルマウス４５１とを含む。また、前記空気案内孔４５０を介して吸い込まれた室内空気を吐出口２１０、２２０にガイドするため、上側エアガイド４１０および下側エアガイド４２０を有する。前記エアガイド４１０、４２０の形状は、空気の流路を柔らかに形成するためのもので、前記送風ファン８００から送風される空気を円滑に吐出口２１０、２２０側に案内するため、空気の流線によって両側に分けられ、側面外側に空気を案内する。具体的に、上側エアガイド４１０は、側面吐出口２２０に吐き出される空気をガイドするためのものであり、下側エアガイド４２０は、前記底面吐出口２１０を介して吐き出される空気をガイドするためのものである。
【００９９】
なお、前記送風ファン８００としては、ターボファンが好ましく適用されるが、ターボファンは、ファンの中心部に空気が吸い込まれた後、ファンの外周方向に吐き出される空気の流路を有する。従って、前記上側エアガイド４１０は、側面吐出口２２０に向かって吐き出される空気を円滑に案内することができ、下側エアガイド４２０は、底面吐出口２１０に向かって吐き出される空気を案内するが、特に、前記下側エアガイドの形成方向は、送風ファン外周の接線方向に傾斜して延長形成される。それで、送風ファン８００から吐き出される空気が円滑に底面吐出口２１０側に案内されることで、乱流の発生が低減し、吸込み損失が低減した状態で、吐き出される空気が円滑に室内機の外側にガイドされるようになる。
【０１００】
また、前記空気案内孔４５０の外周に形成されたベルマウス４５１によって、前記空気案内孔の縁部が内側に柔らかに湾曲されているため、背面からの室内空気が漏れることなく前面に静かに吸い込まれるようになる。また、前記ベルマウス４５１の外周面には、前記送風ファン８００が前記エアガイド４００に収容される時、前記エアガイド４００に全く密着させるための送風ファン収容部４５２がさらに形成される。前記送風ファン収容部４５２には、必要に応じてシーリング部を形成することができ、さらには、接着などの方法で空気のもれを完璧に遮断することができる。
【０１０１】
また、前記エアガイド４００は、両側の側端は前記上側エアガイド４１０によってガイドされる空気を側面吐出口２２０に案内するため、所定の曲率半径をもって前方に向かって形成される風向調節具収容部４３２を有する。そして、前記風向調節具収容部４３２の内側には、室内空気を複数の方向に分散して吐出すため空気の方向を調節する風向調節具４３０が収容される。具体的に、前記風向調節具４３０は、前記湾曲面に突出形成された風向調節具収容ガイド４３１により支持され、上端部と下端部とが所定のヒンジで支持されることで、所定の角度で回転可能に形成される。そして、前記風向調節具収容部４３２と前記上側エアガイド４１０とが会う地点の上方に前面フレームと締結するための前面フレーム締結部４８０が形成される。前記風向調節具４３０は、前記風向調節具の下側に形成される風向調節具駆動モータ４３３により左右に回転運動できる。勿論、前記風向調節具駆動モータ４３３は、前述の位置に制限されず、種々の位置にも形成可能である。
【０１０２】
また、前記送風ファン８００と前記風向調節具４３０との間に形成され、送風ファン８００により使用者の手に負傷するなどの事故を防止するための安全網４４０が設けられる。また、前記安全網４４０は、前記エアガイド４００の本体に形成された多数の安全網取付溝４１１に嵌め込まれることで位置が固定される。
【０１０３】
また、前記上側エアガイド４１０の上方には、電装部４６０を収容するための所定の空間が形成される。具体的に、前記空間の一側には、前記電装部４６０の一側に形成される電装部支持リブ４６１が挿入される電装部支持部４６５が形成される。また、前記電装部４６０の他側に形成される第１の電装部結合部４６２に整列されて締結部材を挿入するための第２の電装部結合部４６３が形成される。また、前記電装部４６０がエアガイド４００から一定の間隔で離間するようにして速やかな放熱を行うための隆起部４６４が形成される。
【０１０４】
前記電装部４６０の装着過程を詳細に説明する。前記電装部４６０には、内部に形成される多数の電気部品により高熱が発生し、このような高熱を放熱するため、前記電装部４６０は、前記エアガイド４００から一定の高さ以上離間している。前記電装部４６０の離間間隔では空気の出入りが可能であるため、電装部４６０の熱が速やかに放熱される。このように電装部４６０を一定の高さだけ離間させるため、電装部４６０の一側は、電装部支持リブ４６１と電装部支持部４６５により一定の高さに維持される。また、電装部４６０の他側は、第１の電装部結合部４６２と第２の電装部結合部４６３とにより結合されると共に、前記隆起部４６４により一定の高さだけ離間している状態が維持される。換言すれば、前記隆起部４６４により前記電装部４６０が一定の高さだけ離間していることが可能であり、前記隆起部４６４が前記電装部４６０を支えるようになる。
【０１０５】
また、前記下側エアガイド４２０の内部には、電気部品、ヒューズのような消耗性部品が収容される所定空間である部品収容部４２１が形成されている。前記部品収容部４２１は、室内機の使用中に頻繁に交替される部品を別に収納するためのものである。前記電装部４６０には、交替が頻繁に行われない部品が収容され、また、前記部品収容部４２１には、頻繁な交替が行われて使用者の接近性が容易である必要がある部品が収容されることが好ましい。なお、前記部品収容部４２１への接近性を容易にするため、前記前面フレーム２００には、開口部２３４が形成され、前面パネル１００を開けるだけで便利に前記部品収容部４２１に接近することが可能である。
【０１０６】
また、前記下側エアガイド４２０の下端部に形成される底面吐出口ドア４７０と、前記底面吐出口ドア４７０の一側端部に取り付けられ、前記底面吐出口ドア４７０を開閉するための底面ドア駆動モータ４７１とを含む。具体的に、前記底面吐出口ドア４７０は、前記下側エアガイド４２０により吐き出される冷気が分散されて吐き出されるように所定の角度で往復回転運動する。さらには、前記底面吐出口ドア４７０が上下に往復回転できるように前記底面ドア駆動モータ４７１は、正回転および逆回転を繰り返すことで室内空間全体の冷却がより速やかに行われる。
【０１０７】
また、前記エアガイド４００の背面には、両側面に所定の高さだけ傾斜して形成される熱交換器収容リブ５００と、エアガイド４００の下端部に突出形成されて前記背面カバー６００と結合するための背面カバー締結部４９０とが形成される。具体的に、前記熱交換器収容リブ５００は、前記熱交換器８１０の傾斜角度と同様にほぼ中央部が高く傾斜して形成される。従って、背面から吸い込まれて前記熱交換器８１０を貫通する過程で冷却された空気が側面から漏れる現象を防止することができる。なお、図４５は、熱交換器を示す斜視図である。図４５を参照するに、前記熱交換器８１０の側面には、漏れ防止リブ８１２が形成され、前記漏れ防止リブ８１２と前記熱交換器収容リブ５００とが当接することで、より信頼性良く冷却された空気が漏れる現象を防止することができる。なお、前記熱交換器は、冷媒が流動されるパイプ８１１と、熱交換効率を促進するフィン８１３とを含む。
【０１０８】
図４６は、本発明の思想によってエアガイドの背面に熱交換器が収容された様子を示す斜視図であり、図４７は、前記エアガイドの背面に熱交換器とドレーンパンが収容された様子を示す斜視図であり、図４８は、図４７の“Ｂ”の拡大図である。
【０１０９】
図４６乃至図４８を参照するに、前記熱交換器８１０は、前記エアガイド４００の背面に形成された熱交換器収容リブ５００に収容され、前記熱交換器８１０の下側部には、前記ドレーンパン８２０が位置する。また、前記ドレーンパン８２０の下端部に形成されたドレーンパンガイド部８２４は、前記背面カバー締結部４９０に形成される締結溝に嵌め込まれて固定される。前記背面カバー締結部４９０は、前記エアガイド４００と一体に形成されるのはいうまでもない。前述のように、ドレーンパン８２０と一体に形成されるバー状の前記ドレーンパンガイド部８２４は、背面カバー６００と一体に形成される他のドレーンパンガイド部７０７と背面カバー締結部４９０に同時に挿入されることで、ドレーンパン８２０とエアガイド４００と背面カバーとは互いに結合される。
【０１１０】
また、前記ドレーンパン固定部８２５と背面カバー６００とが締結されることで、ドレーンパン８２０は、堅固な固定を維持することができ、前記ドレーンパン８２０の内側に形成される前記揺動防止リブ８２２、８２３により前記熱交換器８１０の下側端が支持される。前記揺動防止リブ８２２、８２３により熱交換器８１０が支持されることで熱交換器８１０の前後方向への揺れが防止できる。
【０１１１】
図４９は、他の実施例に係るエアガイドの形状を概略的に示す図である。
【０１１２】
図４９を参照するに、エアガイド４００の内側面において、上側と下側に上側エアガイド４１１と下側エアガイド４２２が形成され、側面に風向調節具収容部４３２と空気案内孔４５０が形成されるのは、前述の実施例と同様である。但し、前記上側エアガイド４１１および下側エアガイド４２２の具体的な形状は、異なっているが、これは、室内機の側面吐出口が上下方向に狭く形成され、風が集中的に吐き出される場合に好ましく適用される。また、この場合は、底面吐出口が形成されていないため底面からの空気吐出しが発生しないものにさらに好ましく適用できる。
【０１１３】
図５０は、他の実施例に係るエアガイドの形状を示す斜視図である。
【０１１４】
図５０を参照するに、エアガイド４００の内側面において、上側と下側に上側エアガイド４１１と下側エアガイド４２２が形成され、側面に風向調節具収容部４３２と空気案内孔４５０が形成されるのは、前述の実施例と同様である。但し、前記上側エアガイド４１１および下側エアガイド４２２の具体的な形状は、異なっているが、これは、底面吐出口が形成されない状態で、側面の広い範囲で空気の吐出しが行われるものに好ましく適用できる。
【０１１５】
なお、本発明の範囲は、図４９および図５０に示された実施例に限定されるものではなく、本発明の思想を理解する当業者であれば、具体的な形状によって種々に変更して実施することができる。
【０１１６】
図５１は、本発明の思想に係る室内機の正面斜視図であって、前記前面パネル１００が透明であるという仮定下で、その内側を示している。
【０１１７】
図５１に示されたように、多くのものは図１と同様であるが、前面パネルの内側に吐出口開閉構造３００と、前記吐出口開閉構造３００により開閉される吐出口ドア２９０とがさらに示されている点から異なっている。前記吐出口ドア２９０により前記側面吐出口２２０の開閉が可能となる。室内機の未使用時には、吐出口ドア２９０を用いて側面吐出口２２０を閉じて外観を奇麗にし、使用時には吐出口２９０を開放して側面吐出口２２０を開放することができる。
【０１１８】
図５２は、前記吐出口開閉構造を室内機から分離して示した斜視図である。
【０１１９】
図５２を参照するに、本発明に係る吐出口開閉構造３００は、上部ケース３２０と下部ケース３６０により保護され、両側端部に吐出口ドア２９０が形成され、前記側面吐出口２２０が開閉される。また、前記吐出口ドア２９０は、移送部３１０により左右に移送されることで、吐出口ドア２９０の動きが制御される。
【０１２０】
前記吐出口ドア２９０と移送部３１０との連結部の構成を詳述する。図５３は、図５２のVII−VII’の断面図であって、図５３を参照するに、前記吐出口ドア２９０の側端部から延びて折り曲げ形成されるドア支持部２９１と、前記移送部３１０の先端部が曲げ形成される支持具係止部材３１１が形成される。また、前記ドア支持具２９１の一側から延長形成されるドア側突起２９２と、支持具係止部材３１１の内側面から延長形成されるアーム側突起３１２と、前記ドア側突起２９２と前記アーム側突起３１２とを連結するバネ３１３とを含む。
【０１２１】
前述のような構成で、前記バネ３１３から前記ドア支持具２９１を時計方向に回転させるパワーが発生する。詳述すれば、バネ３１３により前記ドア支持具２９１と支持具係止部材３１１とが互いに連結され、前記バネ３１３には、バネが巻かれる方向に復元力が発生しているため、ドア支持具２９１、さらにはドア２９０には回転しようとする力が加えられる状態となる。従って、前記ドア２９０が室内機の内側に引き込まれている時は、室内機前面の両側部にかかるため、バネ３１３の復元力に勝ってドア２９０がフラットな状態になるが、ドア２９０が室内機の外側に引き出されている時は、バネ３１３の復元力により室内機前面の傾斜した両側部に沿って巻かれ、ドア２９０により側面吐出口２２０が閉じるようになる。なお、前記ドア２９０により前記側面吐出口２２０の上側面を覆うため前記ドア２９０が前記側面吐出口２２０の開口部に比べてある程度大きなサイズに形成されるのはいうまでもない。
【０１２２】
図５４乃至図６１は、吐出口開閉構造の内部構成を説明する図であって、図５９は、下部ケースを示す斜視図、図６１は、上部ケースが取り外された状態で吐出口開閉構造の内側が示される吐出口開閉構造の内側斜視図である。
【０１２３】
以下、図５９および図６１を参照して本発明に係る吐出口開閉構造の構成および動作を詳しく説明する。
なお、前記吐出口開閉構造は、モータから動力を伝達される稼動部と、前記稼動部と一端が連係され、動力を一定の方向または位置に伝達する連結部と、前記連結部の他端が連係され、動力を前記移送部に伝達する被動部とを含む。前記稼動部、連結部および被動部を別に備えているのは、駆動モータおよび移送部の位置と動力伝達方法が互いに異なっているためである。
【０１２４】
前記移送部３１０の構成を詳しく説明するため、図５４の移送部の正面斜視図と図５５の背面斜視図を参照する。前記移送部３１０には、前記移送部３１０の端部に形成され、前記吐出口ドア２９０に連係される支持具係止部材３１１と、前記移送部３１０のボディ部から延びて前記支持具係止部材３１１に連結されるアーム３１４と、被動ギア３４０から回転力が伝達されるラック３１７と、対向するラックが案内されるラックガイド３１５と、移送部３１０の水平方向の動きを正しく案内するため所定の位置に水平方向に形成される水平ガイド溝３１６および移送部ガイドリブ３１８を含む。前記移送部３１０は、左右に一対形成され、左右側のそれぞれに形成される吐出側ドア２９０がそれぞれ動作するようにしている。
【０１２５】
図５６には、リンク３３０が示されているが、前記リンク３３０は、稼動ギア３５０から伝達される回転力を被動ギア３４０に伝達する役割を行う。具体的に、前記リンク３３０は、扁形であり、前記稼動ギア３５０と接触して回転力を伝達される稼動ラック３３２と、前記被動ギア３４０と接触して回転力を伝達する被動ラック３３３とを含む。なお、前記リンク３３０は、前記稼動ギヤ３５０と被動ギヤ３４０の位置に合うように一側方向に傾斜して形成される。
【０１２６】
図５７には、被動ギア３４０が示されているが、前記被動ギア３４０は、リンク３３０から伝達された動力を前記ラック３１７に伝達する役割をする。このような動作を行うため、前記被動ギア３４０は、上下方向に形成される二重ギヤの形状をしている。具体的に、前記被動ギヤ３４０は、上下に積層される径の大きな第２のギヤ３４３と、比較的径が小さな第１のギヤ３４２と、前記被動ギヤ３４０の中心軸である回転軸３４１とを含む。前記第２のギア３４３は、前記ラック３１６に連係され、前記移送部３１０が並進運動するようにし、第１のギア３４２は、前記被動ラック３３３と連係され、リンク３３０から動力を伝達される。
【０１２７】
図５８には、稼動ギア３５０が示されているが、前記稼動ギヤ３５０は、吐出口ドア駆動モータ３７０（図６０）から動力を伝達され、前記リンク３３０に動力を伝達するようにする。具体的に、前記稼動ギヤ３５０は、前記吐出口ドア駆動モータ３７０から動力を伝達され、回転の中心軸をなす回転軸３５１と前記リンク３３０と噛み合って動力を伝達する第３のギア３５２とを含む。
【０１２８】
図５９は、下部ケース３６０が示されているが、前記下部ケースは、多数の部品が収容され、その動作をガイドするためのものである。具体的に、前記下部ケース３９０には、前記上部ケース３２０の外周に結合され、内部部品を保護するための固定リブ３６１が形成され、上部ケース３２０と結合され、内部に収容される多数の部品を保護するため、箱状をなすようになる。
【０１２９】
具体的に、前記下部ケース３６０の構成および形状について説明する。前記移送部３１０の動作をガイドするため、前記水平ガイド溝３１６と対応する位置に形成され、移送部３１０の水平方向への動きをガイドする水平ガイド突起３６５と、前記移送部ガイドリブ３１８と対応する位置に形成され、前記移送部ガイドリブ３１８が挿入され、前記移送部３１０の移動方向をより信頼性良くガイドするための水平リブガイド３６２とを含む。勿論、前記水平ガイド突起３６５と水平リブガイド３６２は、左右に一対が形成され、一対の移送部３１０それぞれの動作をガイドする。
【０１３０】
また、前記下部ケース３６０の水平面において所定の高さを有して垂直に形成され、前記リンク３３０が左右に離脱するのを防止するリンクガイド３６３を含む。前記リンク３３０の左側は、前記ギア３４０、３５０により支持され、右側は、前記リンクガイド３６３により位置が支持される。また、前記リンク３３０の上側と右側は自由端であるため、前記リンク３３０は、上側と下側に円滑に動くことができる。
【０１３１】
また、前記下部ケース３６０の左側および右側に前記移送部の外側面に沿って形成される移送部ガイド３６４が設けられる。前記移送部ガイド３６４は、前記吐出口ドア２９０が完全に閉じた状態で、前記移送部３１０が位置するところに形成され、前記移送部３１０の外側面と同じ外周面をなし、前記移送部３１０と正確に面接触する。前記移送部ガイド３６４は、前記移送部３１０の外側への移送限界を設定する機能を行うものであって、前記移送部３１０が左右移動可能な区間から外れるのを防止する役割を果たす。
【０１３２】
また、前記下部ケース３６０の水平面上に突出形成されるラックガイド３６６を含む。前記ラックガイド３６６は、前記移送部３１０の水平方向の動作がより正確にガイドされるようにする。具体的に、前記ラックガイド３６６は、前記被動ギア３４０が前記ラック３１７に噛み合った状態で、前記落３１７と接する。即ち、ラック３１７において歯車が形成されていない反対側の平らな面に接する。このような前記ラックガイド３６６により、前記ラック３１７の左右運動中に前記ラック３１８の歯車と被動ギア３４０の歯車との噛み合いがずれるのを防止する。また、前記ラックガイド３６６は、前記水平リブガイド３６２と前記水平ガイド突起３６５と共に前記移送部３１０の水平方向の動作をより正確にガイドすることができる。
【０１３３】
また、下部ケース３６０の所定位置に形成され、前記稼動ギア３５０を正確な位置に収容および固定させるための稼動ギア固定ホール３６８と、前記被動ギア３４０の位置が固定され、下部ケース３６０に収容するための被動ギア固定ホール３６７とを含む。
【０１３４】
図６０は、前面フレーム２００の背面に形成される吐出口ドア駆動モータ３７０を説明する図であって、前記稼動ギア固定ホール３６８と対応する位置に吐出口ドア駆動モータ３７０が形成されることがわかる。前記吐出口ドア駆動モータ３７０としては、正逆回転が即時に比較的自由に行えるステップモータを使用することが好ましい。
【０１３５】
前記吐出口開閉構造３００の動作を説明する。室内機の動作により前記側面吐出口２２０を開閉する場合、先ず、前記吐出口駆動モータ３７０が正方向または逆方向に回転される。前記吐出口駆動モータ３７０が回転すると、前記稼動ギア３５０が回転し、前記稼動ギア３５０は、前記リンク３３０が上下方向に並進運動するようにする。前記リンク３３０は、前記リンク垂直ガイド３６９およびリンクガイド３６３によりガイドされる状態で上下に正確な位置および方向に動くことができる。前記リンク３３０の一側に形成される被動ラック３３３は、前記被動ギア３４０の径が小さな第１のギア３４２と噛み合っているため、リンク３３０の並進運動により前記被動ギア３４０が回転する。そして、前記被動ギア３４０の回転により移送部３１０が左右に並進運動する。前記移送部３１０のラック３１７が前記被動ギア３４０の第２のギヤ３４３と噛み合った状態で左右方向に並進運動する。
【０１３６】
前記移送部３１０は、前記水平ガイド溝３１６と移送部ガイドリブ３１８により大略的な水平方向の動作が案内され、特に、前記ラック３１７は、前記ラックガイド３６６により一層正確に案内される。また、前記ラックガイド３６６により前記ラック３１７が案内されるため、前記ラック３１７と前記第２のギア３４３との噛み合い状態がより正確に案内されることで噛み合い状態が解除されないため、第２のギア３４３とラック３１７とが空回りするのを防止する。
【０１３７】
図６１は、前記移送部が外側に移動されて側面吐出口が閉じた状態を示す図であり、図６２は、前記移送部が内側に移動されて前記側面吐出口が開いた状態を示す図である。
【０１３８】
図６１および図６２から前述のような移送部の移動状態が明確に理解できる。
具体的に、前記被動ギア３４０が時計方向に回転する場合、前記ラック３１７が外側に移動されるため、側面吐出口２２０が閉じるようになる。勿論、被動ギア３４０が時計方向に回転されるように前記リンク３３０は、下側に移動され、前記稼動ギア３５０は、時計方向に回転される。また、前記移送部３１０の移送中には、ラックガイド３６６、水平ガイド溝３１６および移送部ガイドリブ３１８により移送部３１０は、正確に水平方向にガイドされる。
【０１３９】
なお、前記支持具係止部材３１１および吐出口ドア２９０の相互連結関係は、前述のように吐出口ドア２９０が外側に向かう時、バネ３１３（図５３参照）の復元力により吐出口ドア２９０が一方に折り曲げられて傾斜するように形成される側面吐出口２２０の上側面がスムースに覆われるようになる。
なお、前記移送部３１０には、ラックガイド３１５が形成されるが、これは、対向する側に形成される一対のラック３１７が互いに干渉するのを防止するためのものである。図６２から、移送部３１０が内側に移送する過程で、一対の移送部のうちの第１の移送部３１０のラック３１７が他方に形成される第２の移送部と重なる場合、第１の移送部のラック３１７が第２の移送部のラックガイド３１５の内側に置かれるようにガイドされることで、前記第１の移送部および第２の移送部がそれぞれ互いに干渉することなく個別に正確に運動を行うことがわかる。
【０１４０】
図６３は、吐出口開閉構造の他の実施例を示す図であって、多くのものが前述の実施例の構造に同様であるが、本実施例の特徴点について説明すると、本実施例では、前記リンク３００の代わりにベルト３８０が設けられ、稼動ギア３５０と被動ギア３４０の動力を伝達している。換言すれば、リンク３３０に代わるベルト３８０が前記稼動ギア３５０の第３のギア３５２と被動ギア３４０の第１のギア３４２とを連係させることで、互いに動力が伝達される。なお、動力伝達を円滑に行うことができるものであれば、前記ベルト３８０の代わりに、チェーンなどのような連結手段を適用しても良い。
【０１４１】
図６４は、吐出口開閉構造の他の実施例を示す図であって、多くのものは前述の実施例と同様であるが、本実施例の特徴点について説明すると、本実施例では、前記稼動ギア３５０の代わりにローラー３８１が採用され、前記ローラー３８１の外周には歯車が形成されていない。また、前記第１のギア３４２にも同様に歯車が形成されていない。なお、前記ローラー３８１と第１のギヤ３４２とを連結するため平ベルト３８２が前記ローラー３８１と第１のギア３４２の外周を巻いて形成されている。このような形状により吐出口開閉構造が同様に動作できる。
【０１４２】
図６５は、前記移送部の動作を説明する図である。
【０１４３】
図６５を参照するに、前記移送部３１０が外側に移動された状態では、傾斜して形成される前記側面吐出口２２０を閉じるため吐出口ドア２９０が斜めに傾斜して外側に移動される。このような前記吐出口ドア２９０の移動は、前記バネ３１３により行われるが、図５３およびその関連説明部分に記述されているため、詳細な説明は省略する。また、吐出口ドアの開放時は、前記吐出口ドア２９０が室内機の前面フレーム２００の傾斜部に沿って内側に移動されるため、フラットな状態が維持された状態で内側に移動される。従って、前記移送部３１０が内側に完全に移動された状態では、フラットな位置が維持される。
【０１４４】
図６６は、本発明の思想が適用される前面パネルの背面斜視図である。
【０１４５】
図６６を参照するに、前記前面パネル１００は、室内機１の前面部に形成され、前述のようにさまざまな色で塗ることができ、さらには、絵柄や写真などで装飾することができる。
具体的に、前記前面パネル２００の所定位置に形成され、ディスプレイ部２４０（図６７参照）に表示される絵や画面などが見られるように透明な材質で形成される窓１１１と、前記前面パネル１００の背面上側部に所定の長さで突出形成され、前記前面フレーム２００に結合される前面パネル上側係止具１１３と、前記前面パネル１００の背面下側部に所定の長さで突出する前面パネル係止具１１２とを含む。前記前面パネル上側係止具１１３と前面パネル下側係止具１１２とにより前記前面パネル１００は、前記前面フレーム２００に係合され、前記前面フレーム２００に係合する機構で前記前面パネル１００が堅固に位置固定される。
【０１４６】
また、前記前面パネル１１０の材質としては、プラスチックが費用や製造容易性の点から好ましいが、前面パネル１００の強度が低下するという短所がある。このような短所を克服し、前面パネル１００の形状を維持すると共に外力に耐えるようにするため、強度補強部材１２０が前面パネル１００の垂直方向に少なくとも１つ以上取り付けられる。図面においては２つが形成されている。前記強度補強部材１２０は、金属材質で形成することで高強度を維持することが好ましい。
【０１４７】
前記強度補強部材１２０の設置方法を詳述する。前記強度補強部材１２０の断面は、中央部に溝が形成され、両側端は、両側に延びる形状をしている。また、前記溝には、所定の締結部材が挿入される締結ホール１２１を形成し、前記締結ホール１２１を介して締結部材を挿入することで、前記強度補強部材１２０と前面パネル１００とが互いに結合される。前記締結ホール１２１と対応する前面パネル１００の所定位置には、ボス１３１が形成され、前記ボス１３１の形状を維持するため、上下方向に長くリブがさらに形成される。また、前記強度補強部材１２０の両側端部を支持するため、前面パネル１００の背面の溝には、ガイドリブ１３０が多数形成されている。
【０１４８】
このような構成により前記強度補強部材１２０が設定される過程を説明する。先ず、強度補強部材１２０が前記ガイドリブ１３０によりガイドされる状態で前記前面パネル１００の適切な位置に収容される。このとき、前記強度補強部材１２０が置かれる位置においては、好ましくは、前記前面パネル１１０の内側に溝が形成され、前記強度補強部材１２０が正しい位置に置かれるようにする。前記強度補強部材１２０が正しい位置に置かれた後は、前記締結ホール１２１とボス１３１とが整列された状態になり、この状態で前記締結ホール１２１とボス１３１を貫通する締結部材を挿入することで、強度補強部材１２０の締結が完了する。図６６には、左側には、強度補強部材１２０が締結されている状態を、右側には、強度補強部材１２０が締結されていない状態を示している。
【０１４９】
図６７は、前面フレームの正面斜視図である。
【０１５０】
図６７を参照するに、前記前面フレーム２００の両側面には、傾斜部に側面吐出口２２０が形成され、前面の上側および下側には、前記前面パネル上側係止具１１３および前面パネル下側係止具１１２が支持される前面パネル上側支持部２３１および前面パネル下側支持部２３２がそれぞれ形成される。前記前面パネル上側支持部２３１および前面パネル下側支持部２３２により前記前面パネル１００は、前面フレーム２００に対して位置固定され、そのほかにねじなどのような別の締結部材が使用されていないため、何時でも希望に応じて前面パネル１００を取り外して観察や必要な作業などを行うことができる。勿論、より堅固に固定するため所定の締結部材を付加することもできる。
【０１５１】
また、前面フレーム２００の前方部には、モータが収容されるモータ収容部２３３と、室内機の状態を示すため、例えば液晶ディスプレイなどのような所定のディスプレイ機構を有するディスプレイ部２４０が設けられる。
【０１５２】
また、前記前面フレーム２００下側の所定位置には、前記部品収容部４２１（図４３参照）に収容される部品を便利に交替することができるように開口部２３４が形成される。これによって、使用者が室内機を修理するなどの作業を行う時は、室内機を分解することなく、前記前面パネル１００を取り外した後、前記開口部２３４を介して容易に前記部品収容部４２１に収容されている部品を修理したり交替したりすることができる。
【０１５３】
図６８は、本発明の思想に係る前面フレームの背面斜視図であり、図６９は、図６８の“Ｃ”の拡大図である。
【０１５４】
図６８および図６９を参照するに、前記吐出口ドア駆動モータ３７０を収容するためのモータ固定部２３５が設けられ、正確な位置に前記吐出口ドア駆動モータ３７０を位置させる。また、前面フレーム２００の下側には、前述のような底面吐出口２１０が形成されることがわかる。
【０１５５】
また、前記エアガイド４００が前面フレーム２００に接触する時、空気の漏れを防止するため前記前面フレーム２００の背面には前記エアガイド４００に形成される上側エアガイド４１０および下側エアガイド４２０とマッチングされる形状の前面シーリング部２３６が形成される。前記前面シーリング部２３６により冷気の損失を減らすことができる。なお、前記前面シーリング部２３６は、上側エアガイド４１０よび下側エアガイド４２０と同様な形状をしている。
【０１５６】
また、前記前面フレーム２００は、前記エアガイド４００と背面カバー６００とが結合されるが、このような結合が正しく行われるように、前記前面フレーム２００の側部の内側面には、複数のエアガイド係止部２４２と背面カバー係止部２４１とがそれぞれ形成される。前記エアガイド係止部２４２および前記背面カバー係止部２４１は、それぞれエアガイド４００と背面カバー６００の外側縁部に形成される多数の係止部に連係されて組み立てられる。そして、前記側面吐出口２２０を介して吐き出される冷気が逆循環して前記エアガイド４００を経て戻るのを防止するための側面シーリング部２４４が前面フレームの内側面に付着などの方法で固定される。また、前記安全網４４０の一側が支持され、使用者が押す力により安全網が抜けるのを防止するための安全網支持部２４３が形成される。
【０１５７】
なお、前記前面フレーム中央部の内側面には、前記送風ファン８００を駆動するためのファン駆動モータ２８０が収容されるが、前記ファン駆動モータ２８０から発生する振動が減衰されながらモータを支持するための構成について説明する。前記モータ収容部２３３の内側部の窪んだ部分には、防振部材が挿入される防振部材収容部２３７が形成されるが、前記防振部材収容部２３７の内部には、前記ファン駆動モータ２８０と前面フレーム２００との間に防振部材が介入されることでファン駆動モータ２８０から前面フレーム２００に伝達される振動を減衰する。前記防振部材は、スポンジ、弾性部材など、制限を受けずに採用できる。
【０１５８】
また、ファン駆動モータ２８０を前面フレーム２００に対して固定するためモータマウント（図７１参照）が別体としてさらに形成される。即ち、前記モータマウントの内側にファン駆動モータ２８０が置かれた後、前記モータマウントが前面フレーム２００に収容されることで、前記ファン駆動モータ２８０の締結が完了する。具体的に、前記前面フレーム２００には、モータマウントの設置位置を容易に案内すると共に位置を支持するためのモータマウント支持部２３８と、前記モータマウントが装着された後、モータマウントを前面フレームに固定するためのモータマウント固定部２３９とが設けられている。
【０１５９】
図７０は、ファン駆動モータとモータマウントが装着された状態を示す前面フレームの背面斜視図である。
【０１６０】
図７０を参照するに、モータマウント２７０の内側にファン駆動モータ２８０が置かれ、前記モータマウント２７０は、前記モータマウント支持部２３８により位置が支持されている。また、前記モータマウント支持部２３８に前記モータマウント２７０がかかっている状態で所定の締結部材が前記モータマウント固定部２３９に挿入されることでモータマウント２７０が堅固に前記前面フレーム２００に対して固定される。また、ファン駆動モータ２８０の前方と前記モータマウント２７０とが会うモータマウント２７０の内側面には、防振部材２７１が介装され、前記防振部材２７１によりファン駆動モータ２８０の前方からモータマウント２７０側への振動が効果的に減衰される。このように、前記ファン駆動モータ２８０は、前記防振部材収容部２３７に挿入される防振部材により、ファン駆動モータ２８０から前面フレーム２００への振動が減衰され、前記防振部材２７１により前記ファン駆動モータ２８０からモータマウント２７０への振動が減衰されるため、ファン駆動モータ２８０から発生する振動が他の部分に伝わることがないため、ファン駆動モータ２８０の動作による振動および騒音の効果的な減少が可能となる。
【０１６１】
図７１は、本発明の思想に係るモータマウントの斜視図である。
【０１６２】
図７１を参照するに、モータマウント２７０には、前記防振部材２７１が挿入される防振部材収容部２７２と、前記モータマウント支持部２３８に置かれてモータマウント２７０の位置をガイドするための支持部２７３と、前記支持部２７３の所定位置に形成され、前記モータマウント固定部２３９と整列される固定ホール２７４とが設けられている。
【０１６３】
前述のモータマウント２７０の形状から分かるように、前記モータマウント２３８により、前面フレーム２００に対するモータマウント２７０の位置がガイドされた後、所定の締結部材が前記固定ホール２７４とモータマウント固定部２３９に挿入されることで、モータマウント２７０が前面フレーム２００に固定される。
【０１６４】
以上、本発明の好適な実施例をあげて説明してきたが、本発明の保護範囲は、前述の実施例に限定されるものではなく、特許請求の範囲に記載された発明とその均等物にまで及ぶものである。従って、当業者であれば、本発明の思想に含まれる他の実施例を請求の範囲を逸脱しない範囲内で種々に変更して実施することができる。
【０１６５】
本発明の思想に属する他の実施例をあげる。
前記前面パネルが前記前面フレームに係合する方式で固定されるものでなく、一側面においてはヒンジ結合され、他側面においては係合方式で固定される場合は、修理作業などが便利に行える。
【０１６６】
また、前記前面パネルが前記前面フレームの一定部分にのみ形成される場合は、前面フレームの中央部分に吐出口を形成することで、より速やかに冷気を供給することが可能となる。
なお、前記背面カバーの吸込口を保護する吸込みグリルは、図示される形状に制限されず、空気の円滑な吸込みが可能であり、使用者が安全に使用できる範囲内であれば、どのような形状をしていも良い。また、前記支持突起は、室内機荷重の適切な支持のために背面カバーの４コーナー部に形成されているが、室内機の形状および大きさに応じて所定の位置にさらに形成し、または、サイズを使用状態に応じて変化させることもできる。
【０１６７】
また、前記モータマウントは、ファン駆動モータを内部に収容するため、断面が対称になる二個所の折曲部が形成されるが、このような折り曲げ部の形状は、モータの形状に応じて変化させることができる。
なお、本発明の室内機は、単一の室外機に２つの室内機が連結される場合に便利に使用されるが、特に、本発明の室内機は壁掛型にし、他の室内機は、床置型にして使用することで、使用上の便宜性を向上することができる。
また、前記ディスプレイ部には、所定のキャラクタを空調システムの使用状態に応じてさまざまに変化して表現することで、使用上の便宜性が向上することができる。
【０１６８】
また、前記熱交換器は、ほぼ中央部で折り曲げられて熱交換効率を増進しているが、これに制限されず、二個所またはそれ以上折り曲げることで、より多い熱交換が行われるようにすることもできる。
【図面の簡単な説明】
【０１６９】
【図１】本発明に係る空調機の室内機の概略的な正面斜視図。
【図２】本発明に係る空調機の室内機の概略的な背面斜視図。
【図３】本発明に係る空調機の室内機の正面分解斜視図。
【図４】本発明に係る空調機の室内機の背面分解斜視図。
【図５】本発明に係る空調機の室内機の空気流路を説明する斜視図。
【図６】本発明に係る空調機の室内機の他の空気吐出流路を説明する斜視図。
【図７】本発明に係る空調機の室内機の他の空気吸込流路を説明する斜視図。
【図８】本発明に係る空調機の室内機の設置構造を説明するための背面斜視図。
【図９】図８に示された収容ガイドの他の実施例を示す図。
【図１０】収容具の斜視図。
【図１１】収容具の設置状態を示す図。
【図１２】本発明の思想に係る室内機の吸込流路を示す側面図。
【図１３】本発明の思想に係る室内機の設置状態を説明する平面図。
【図１４】本発明の思想に係る室内機の他の設置状態を説明する平面図。
【図１５】本発明の思想に係る室内機の他の設置状態を説明する平面図。
【図１６】本発明の思想に係る室内機における収容ガイド設置の他の実施例を説明する図。
【図１７】本発明の思想に係る室内機の他の設置状態を示す斜視図。
【図１８】本発明の思想に係る室内機の背面斜視図。
【図１９】図１８の“Ｄ”の拡大図。
【図２０】本発明に係る前面板の斜視図。
【図２１】本発明に係る側面板の斜視図。
【図２２】本発明に係る背面板の斜視図。
【図２３】本発明に係る前面板と側面板との結合関係を説明する斜視図。
【図２４】本発明に係る前面板と側面板と背面板との結合関係を説明する斜視図。
【図２５】本発明に係る前面板と室内機との結合関係を説明する斜視図。
【図２６】本発明の思想に係る支持突起と前面板の固定を説明する前面板の背面図。
【図２７】本発明に係る背面カバーの正面斜視図。
【図２８】本発明に係る背面カバーの背面斜視図。
【図２９】図２８のＩ−Ｉ’の断面図。
【図３０】図２８のII−II’の断面図。
【図３１】図２７の“Ａ”の拡大図。
【図３２】本発明の思想に係るフィルタの斜視図。
【図３３】本発明によりフィルタが結合された状態を示す背面カバーの正面斜視図。
【図３４】本発明に係るフィルタガイドの斜視図。
【図３５】本発明に係る背面カバーの下側部を示す斜視図。
【図３６】図３５のIII−III’の断面図。
【図３７】図３５のIV−IV’の断面図。
【図３８】本発明に係るドレーンパンの斜視図。
【図３９】図３８のＶ−Ｖ’の断面図。
【図４０】図３８のVI−VI’の断面図。
【図４１】本発明に係る配管カバーの斜視図。
【図４２】本発明によって、背面カバーにドレーンパンと配管カバーが取り付けられた状態を説明する背面カバーの前面斜視図。
【図４３】本発明に係るエアガイドの正面斜視図。
【図４４】本発明に係るエアガイドの背面斜視図。
【図４５】本発明に係る熱交換器の斜視図。
【図４６】本発明によって熱交換器とエアガイドとの結合関係を説明する図。
【図４７】本発明によって熱交換器、エアガイド、ドレーンパンの結合関係を説明する図。
【図４８】図４７の“Ｂ”の拡大図。
【図４９】本発明に係るエアガイドの他の実施例を示す図。
【図５０】本発明に係るエアガイドの他の実施例を示す図。
【図５１】本発明の思想に係る吐出口開閉構造を説明する室内機の正面斜視図。
【図５２】本発明の思想に係る吐出口開閉構造を示す斜視図。
【図５３】図５２のVII−VII’の断面図。
【図５４】本発明に係る移送部の正面斜視図。
【図５５】本発明に係る移送部の背面斜視図。
【図５６】本発明に係るリンクの斜視図。
【図５７】本発明に係る被動ギアの斜視図。
【図５８】本発明に係る稼動ギアの斜視図。
【図５９】本発明に係る下部ケースの斜視図。
【図６０】本発明によって吐出口ドア駆動モータの装着を説明する前面フレームの背面斜視図。
【図６１】本発明の思想に係る吐出口開閉構造の動作を説明する図であって、移送部が外側に移送された状態を示す図。
【図６２】本発明の思想に係る吐出口開閉構造の動作を説明する図であって、移送部が内側に移送された状態を示す図。
【図６３】本発明の思想に係る吐出口開閉構造の他の実施例を示す図。
【図６４】本発明の思想に係る吐出口開閉構造の他の実施例を示す図。
【図６５】本発明の思想に係る吐出口開閉構造の動作を説明する図。
【図６６】本発明の思想に係る前面パネルの背面斜視図。
【図６７】本発明の思想に係る前面フレームの正面斜視図。
【図６８】本発明の思想に係る前面フレームの背面斜視図。
【図６９】図６８の“Ｃ”の拡大図。
【図７０】本発明によってモータが装着された状態を示す前面フレームの背面斜視図。
【図７１】本発明の思想に係るモータマウントの斜視図。
【符号の説明】
【０１７０】
１００  前面パネル
２００  前面フレーム
３００  吐出口開閉構造
４００  エアガイド
５００  熱交換器収容リブ
６００  背面カバー
８００  送風ファン
【図１】
2005114346.tif 000003
【図２】
2005114346.tif 000004
【図３】
2005114346.tif 000005
【図４】
2005114346.tif 000006
【図５】
2005114346.tif 000007
【図６】
2005114346.tif 000008
【図７】
2005114346.tif 000009
【図８】
2005114346.tif 000010
【図９】
2005114346.tif 000011
【図１０】
2005114346.tif 000012
【図１１】
2005114346.tif 000013
【図１２】
2005114346.tif 000014
【図１３】
2005114346.tif 000015
【図１４】
2005114346.tif 000016
【図１５】
2005114346.tif 000017
【図１６】
2005114346.tif 000018
【図１７】
2005114346.tif 000019
【図１８】
2005114346.tif 000020
【図１９】
2005114346.tif 000021
【図２０】
2005114346.tif 000022
【図２１】
2005114346.tif 000023
【図２２】
2005114346.tif 000024
【図２３】
2005114346.tif 000025
【図２４】
2005114346.tif 000026
【図２５】
2005114346.tif 000027
【図２６】
2005114346.tif 000028
【図２７】
2005114346.tif 000029
【図２８】
2005114346.tif 000030
【図２９】
2005114346.tif 000031
【図３０】
2005114346.tif 000032
【図３１】
2005114346.tif 000033
【図３２】
2005114346.tif 000034
【図３３】
2005114346.tif 000035
【図３４】
2005114346.tif 000036
【図３５】
2005114346.tif 000037
【図３６】
2005114346.tif 000038
【図３７】
2005114346.tif 000039
【図３８】
2005114346.tif 000040
【図３９】
2005114346.tif 000041
【図４０】
2005114346.tif 000042
【図４１】
2005114346.tif 000043
【図４２】
2005114346.tif 000044
【図４３】
2005114346.tif 000045
【図４４】
2005114346.tif 000046
【図４５】
2005114346.tif 000047
【図４６】
2005114346.tif 000048
【図４７】
2005114346.tif 000049
【図４８】
2005114346.tif 000050
【図４９】
2005114346.tif 000051
【図５０】
2005114346.tif 000052
【図５１】
2005114346.tif 000053
【図５２】
2005114346.tif 000054
【図５３】
2005114346.tif 000055
【図５４】
2005114346.tif 000056
【図５５】
2005114346.tif 000057
【図５６】
2005114346.tif 000058
【図５７】
2005114346.tif 000059
【図５８】
2005114346.tif 000060
【図５９】
2005114346.tif 000061
【図６０】
2005114346.tif 000062
【図６１】
2005114346.tif 000063
【図６２】
2005114346.tif 000064
【図６３】
2005114346.tif 000065
【図６４】
2005114346.tif 000066
【図６５】
2005114346.tif 000067
【図６６】
2005114346.tif 000068
【図６７】
2005114346.tif 000069
【図６８】
2005114346.tif 000070
【図６９】
2005114346.tif 000071
【図７０】
2005114346.tif 000072
【図７１】
2005114346.tif 000073